(57)【要約】【課題】加圧により剥離可能に一体化される圧着紙を使用した情報通信体において、郵送途上に自然開封することなくさらに第三者が自ら開封することができない完全機密情報体で、受取人が安心して安全に開封できる情報通信体を提供する。【解決手段】対向する両葉片１、２の開封縁辺に帯状のインキ層Ｏを形成して圧着紙の接着性を封印する。そして前記帯状のインキ層の内側に切り落としミシンＭを形成する。このように構成された情報通信体は、開封端面に段差がないため良好な密着状態で郵送途上に自然開封することはない。受取人は第三者が開封できないので、安心して安全に切り落としミシンＭから開封端面を切り落とし、露出する破断面から容易に開封することができる。【選択図】図２
2010155424.tif 000002
【特許請求の範囲】
【請求項１】
複数の葉片が折り線を介して連接されたシートを折り畳み或いは切り重ね、対向する葉片同士を剥離可能に疑似接着した情報通信体において、対向する各々の葉片の内面側の開封縁辺に沿って帯状にインキ層を形成すると共に前記葉片の帯状のインキ層が施された範囲において開封用のミシン目が設けられたことを特徴とする情報通信体の開封手段。
【発明の詳細な説明】
【技術分野】
【０００１】  本発明は、ＤＭを始めとして葉書、往復葉書、封書等に利用される、複数の葉片が剥離可能に積層された情報通信体の開封手段に関する。
【背景技術】
【０００２】  近年、情報が記載された複数の葉片を折り畳み或いは切り離し、その後重ね合わせて郵送可能にした情報通信体が、葉書等の郵便物として多用されている。
前記情報通信体の疑似接着手段として、例えば通常では接着性や粘着性がなく、加圧すると剥離可能に接着する用紙（業界では圧着紙と称している）が使用されている。前記圧着紙を使用した情報通信体は、例えば二つに折り畳んで加圧すれば容易に疑似接着するので加圧ローラーを用意するだけでよく、加熱・加圧処理を必要とする他の疑似接着手段と比べるとシステムが簡便で済む。また圧着紙表面に直接プリンター等により印字が施せるため、疑似接着にフィルムやＵＶニス等を使用する他の手段（表面に印字することができない）に比較すると至便である。
【発明の開示】
【発明が解決しようとする課題】
【０００３】  然るに圧着紙を使用した情報通信体は、その密着性が良好のため開封口に工夫が必要である。即ち開封を容易にするために、折り畳んだ際に対向する両葉片が一致しないようにずらしたり、コーナーカットを施して意図的に段差を形成する必要がある。ところが、皮肉にも、前記開封を容易にする目的の段差部分が、郵送途上において他の郵便物と干渉して自然開封してしまう等の事故の原因となっている。そのため、開封が容易であると共に郵送途上で自然開封することのない開封手段が求められている。
本発明は情報通信体における、前記矛盾した問題を解決するもので、受取人以外の第三者が開封することができない完全機密性の情報通信体における開封手段を提供するものである。
【課題を解決するための手段】
【０００４】  上記課題を解決するための本発明に係る情報通信体の開封手段は、複数の葉片が折り線を介して連接されたシートを折り畳み或いは切り重ね、対向する葉片同士を剥離可能に疑似接着した情報通信体において、対向する各々の葉片の内面側の開封縁辺に沿って帯状にインキ層を形成すると共に前記葉片の帯状のインキ層が施された範囲において開封用のミシン目が設けられたことを特徴としている。【０００５】  本発明に係る情報通信体は、開封縁辺において段差を形成するものではなく、対向葉片が開封縁片においてほぼ一致するものである。従って帯状のインキ層の外側の開封縁辺に沿った開封口が十分に完全密着した情報通信体では、指に引っ掛かる部分がないために意図的に開封することは不可能で、これについては郵送途上において自然開封等の事故が防がれる要因でもある。【０００６】  本発明の、開封縁辺に沿って形成される帯状のインキ層は、圧着紙の表面の接着力を封印するためのもので、インキ層により覆われた圧着紙表面は接着力がなくなる。インキの種類や色等に格別な制限はなく、通常のオフセットインキやＵＶインキが好適に使用できる。また帯状部分の印刷状態はベタ印刷や網掛け印刷が行われる。本発明者等の実験では、寒色系（黒、紺、茶等）で５０％以上の網掛けであれば、圧着紙の接着性を封印することが可能であることが分かっている。【０００７】  前記帯状部分の印刷は必ずしも連続している必要はなく、複数に分割されていても構わない。また対向する両葉片の帯状部分が一致して重なる必要もなく、例えば一方が幅広でもう一方が幅狭の状態であっても構わず、さらにお互いが一致して重なることがなくずれた状態で重なり合っても構わない。
【発明の効果】
【０００８】  上述したように本発明の情報通信体は、受け取り人以外の第三者が意図的に或いは誤って自ら開封することがない完全機密性の情報通信体であり、開封の糸口になる段差がないため郵送途上で自然開封する事故がない。受取人は開封端部に形成されているミシン目を破断することにより安心で安全に開封して情報を確認することができる。
【発明を実施するための最良の形態】以下、本発明の実施の形態を図面に基づいて説明する。
図１（Ａ）、（Ｂ）及び（Ｃ）は二つ折り葉書用紙の表面図と裏面図及びＸ−Ｘ線断面図である。図２（Ａ）及び（Ｂ）は図１の二つ折り葉書用紙を折り畳んだ状態と開封縁辺を切り落とした状態の断面図である。図３（Ａ）及び（Ｂ）は異なる態様の折り畳んだ状態と開封の状態を示す断面図である。図４（Ａ）及び（Ｂ）は三つ折葉書用紙の表面図と裏面図である。図５は三つ折葉書の断面図である。
【実施例１】
【０００９】  図１（Ａ）に示す如く、二つ折り葉書用紙Ｓ１は第一葉片１と第二葉片２が折り線３を介して連接している。第一葉片１表面には例えば郵便切手欄４、郵便番号欄５及び受取人の住所氏名６が記載されている。第二葉片２表面には例えば広告宣伝等の通常の情報が記載されている。そして両葉片共に長辺に沿って外側端部に切り落としミシンＭが形成されている。【００１０】  図１（Ｂ）に示す如く、裏面側にはほぼ全域に渡り強圧で加圧すると剥離可能に接着する感圧性接着剤Ｎが塗布されている。そして両葉辺共に長辺に沿って帯状のインキ層Ｏが形成されており、その中央あたりに切り落としミシンＭが形成されている。このインキ層Ｏは同図（Ｃ）に示す如く、感圧性接着剤Ｎの表面を被覆してその部分に限り接着性を阻害している。
なお、裏面側には例えば網点や文字或いは罫線等により接着性を阻害しない範囲で印刷が施されていても構わない。【００１１】  前記二つ折り葉書用紙Ｓ１は図２（Ａ）に示す如く折り線３から折り畳まれて強圧を掛けられることにより剥離可能に一体化される。その際に折り畳まれて重ねあわされた両葉片の開封端縁は、段差を形成することなく一致して、感圧性接着剤Ｎにより良好に密着されているため指で開けることはできない。勿論郵送途上における自然開封が発生することもない。【００１２】  この葉書の受取人は、例えば葉書表面に記載された指示に従い、同図（Ｂ）に示す如く切り落としミシンＭを手で破断する。切り落としミシンＭは折り畳みの際に一致するよう設計されているため、破断作業は容易に完了することが可能である。
そして破断した後に、破断面に沿って形成されているインキ層Ｏ（この部分は接着性が阻害されている）の非接着部分をめくることにより平面に剥離展開でき、その後に内部の情報を確認することができるのである。
【実施例２】
【００１３】  前記実施例は両葉片に切り落としミシンＭを形成していた。しかし図３に示す如く、例えば第一葉片１に形成するだけでも構わない。この場合手で切り落としミシンＭを山折りにすると破断されて、同図（Ｂ）に示す如く容易に開封することができる。
【実施例３】
【００１４】  図４（Ａ）に示す如く、三つ折り（Ｚ折り）葉書用紙Ｓ２表面は、第一葉辺１１、第二葉辺１２及び第三葉辺１３が折り線１４、１５を介して横方向に連接されている。第一葉片１１表面には例えば郵便切手欄１６、郵便番号欄１７及び受取人の住所氏名１８等が記載されている。そして第二葉片１２及び第三葉片１３表面はほぼ全域に渡り強圧で加圧すると剥離可能に接着する感圧性接着剤Ｎが塗布されている。また第三葉片１３の外側長辺に沿って帯状のインキ層Ｏが形成されており、その中央あたりに切り落としミシンＭが形成されている。【００１５】  図４（Ｂ）に示す如く、三つ折（Ｚ折り）葉書用紙Ｓ２裏面は、第二葉片１２と第一葉片１１のほぼ全域に渡り強圧で加圧すると完全に接着する感圧性接着剤Ｐが塗布されている。そして第三葉片１３の外側長辺に沿って切り落としミシンＭ形成されている。
なお、第三葉片１３裏面には、例えば広告宣伝等の通常の情報が記載されても構わない。
また、第二葉片１２の表面及び第三葉片１３表面にはほぼ全域に渡り強圧で加圧すると剥離可能に接着する感圧性接着剤Ｎが塗布されているが、前記感圧性接着剤Ｎが塗布された領域には、例えば網点や文字或いは罫線等により接着性を阻害しない範囲で印刷が施されていても構わない。【００１６】  前記三つ折葉書用紙Ｓ２は図５に示す如く折り線１４、１５から折り畳まれて強圧を掛けられることにより一体化される。その際に折り畳まれた各葉片の端縁は段差を形成することなく一致し、第二葉片１２と第三葉片１３の表面同志は感圧性接着剤Ｎにより完全に密着されているため指で開けることは困難である。勿論郵送途上における自然開封が発生することもない。そしてこの葉書の受取人は、前期実施例２と同様に、手で切り落としミシンＭを山折りにすると破断されて、容易に開封して内部の情報を確認することができる。
【図面の簡単な説明】
【００１７】
【図１】  （Ａ）、（Ｂ）及び（Ｃ）は二つ折り葉書用紙の表面図と裏面図及びＸ−Ｘ線断面図である。
【図２】  （Ａ）及び（Ｂ）は図１の二つ折り葉書用紙を折り畳んだ状態と開封縁辺を切り落とした状態の断面図である。
【図３】  （Ａ）及び（Ｂ）は異なる態様の折り畳んだ状態と開封の状態を示す断面図である。
【図４】  （Ａ）及び（Ｂ）は三つ折葉書用紙の表面図と裏面図である。図５は三つ折葉書の断面図である。
【図５】  三つ折葉書の断面図である。
【符号の説明】
【００１８】Ｓ１、Ｓ２  葉書用紙
Ｍ  切り落としミシン
Ｏ  インキ層
Ｎ、Ｐ  感圧性接着剤
１、２、１１、１２、１３  葉片
３、１４、１５  折り線
４、１６  郵便切手欄
５、１７  郵便番号欄
６、１８  受取人の住所氏名
【図１】
2010155424.tif 000003
【図２】
2010155424.tif 000004
【図３】
2010155424.tif 000005
【図４】
2010155424.tif 000006
【図５】
2010155424.tif 000007